(57)【要約】【課題】  製造上の観点や、使い勝手の観点から、形状やデザインは何処のメーカーのものも略同じように成り、何れの簡易ガスライターも特徴のないものとなっており、一方、使用者は廉価で購入、又は、販促品として頒布されるものを手軽に入手できることから、扱いが粗略で殆どが充填されたガスを最後まで使い切ること無く、途中で紛失したり、新しいものに持ち替えたりしている実情である。【解決手段】  本考案は、クリップ付電子着火ライターに関するものであり、頂部へ圧電ユニットに衝撃を与えて噴射ノズルから噴射するガスに点火させるために操作部材を枢動可能に設けられた電子着火ライター本体１において、前記操作部材２の側面に枢動方向と平行にクリップ３を突設したことを特徴とするものである。【選択図】図１
0003126010.tif 000002
【実用新案登録請求の範囲】
【請求項１】
頂部へ圧電ユニットに衝撃を与え噴射ノズルから噴射するガスに点火させるために操作部材を枢動可能に設けられた電子着火ライター本体において、前記操作部材の側面に枢動方向と平行にクリップを突設したことを特徴とするクリップ付電子着火ライター。
【考案の詳細な説明】
【技術分野】
【０００１】  本考案はクリップ付電子着火ライターに関するものであり、更に詳細には、上着やワイシャツのポケットの縁部や、鞄の仕切部の縁部に係止できるクリップ付の電子着火ライターに関するものである。
【背景技術】
【０００２】  従来、携帯型のガスライターにおいては、所謂、使い捨ての簡易ガスライターが主流になっており、メーカー側はいかに廉価で提供するかに凌ぎを削っていたが、近年では、発火ヤスリ露出型の簡易ガスライターに代わって、圧電ユニットを内装した電子着火式のガスライターも使い捨ての簡易ガスライターとして汎用されるようになってきている。【０００３】  然し乍ら、製造上の観点や、使い勝手の観点から、形状やデザインは何処のメーカーのものも略同じように成り、何れの簡易ガスライターも特徴のないものとなっている。【０００４】  一方、使用者は廉価で購入、又は、販促品として頒布されるものを手軽に入手できることから、扱いが粗略で殆どが充填されたガスを最後まで使い切ること無く、途中で紛失したり、新しいものに持ち替えたりしている実情である。【０００５】  その為に、簡易ガスライターに付加価値を付けて、愛着が増すように、また、少しでも紛失を無くするように、クリップを付設した簡易ガスライターが考案されている。【０００６】  例えば、使い捨てライターの胴体部にクリップを取り付けるもの（特許文献１参照）や、携帯用ライター１０の点火操作に支障のない燃料収納部１１のような部位の外周に保持具４を構成する保持具主体５を離脱可能に係着し、該保持具主体５に設けたクリップ６で着衣の所要部位にライター１０を係止するもの（特許文献２参照）や、たばこ本体・ポケット・自動車のサンバイザー等あらゆる場所に固定できるためのクリップＢをライターＡに付けるもの（特許文献３参照）が先に開示されている。
【特許文献１】実開平５−５２５５３号公報
【特許文献２】実開平６−２２７５８号公報
【特許文献３】実用新案登録第３０９０５０５号公報
【考案の開示】
【考案が解決しようとする課題】
【０００７】  然し乍ら、特許文献１に記載のものは、発火ヤスリ露出型の使い捨てライターにクリップを取り付けたものであって、ライター本体の胴体部の側面にクリップの基部を横方向に突出させ、更に、下方向に折曲させたクリップを形成するのは成形上困難なことであり、特許文献２に記載のものは、ライター本体と別に保持具を設けて、その保持具にクリップを設けたもので、別部材のものが必要となり、また、いちいち装着しなければならないものであり、特許文献３に記載のものも、特許文献１に記載のものと同様に、発火ヤスリ露出型の使い捨てライターの胴体部にクリップを取り付けたものである。
【課題を解決するための手段】
【０００８】  本考案は前記課題に鑑み、鋭意研鑚の結果、頂部へ圧電ユニットに衝撃を与えノズルから噴射するガスに点火させるために操作部材を枢動可能に設けられた電子着火ライターにおいて、操作部材の側面に枢動方向と平行にクリップを突設したものである。
【考案の効果】
【０００９】  本考案のクリップ付電子着火ライターは、電子着火ライターの圧電ユニットに衝撃を与え噴射ノズルから噴射するガスに点火させるための枢動可能に設けられた操作部材の側面に枢動方向と平行にクリップを突設したことにより、上着やワイシャツのポケットの縁部や、鞄の仕切部の縁部等に係止できることから、取り出しが容易で、更には、幅広いクリップを設けられることから、意匠性のあるクリップを成型することが可能であり、更に、電子着火ライター本体のカラーと操作部材のカラーとを変えることが容易に可能であり、マンネリ状態の電子着火式使い捨てライターに新鮮味を与えるものである。
【考案を実施するための最良の形態】
【００１０】  以下、本考案のクリップ付電子着火ライターの実施例の図面を用いて詳細に説明すると、図１は本考案のクリップ付電子着火ライターの実施例の正面図であり、図２は本考案のクリップ付電子着火ライターの実施例の側面図であり、図３は本考案のクリップ付電子着火ライターの実施例の使用状態の説明図である。【００１１】  本考案はクリップ付電子着火ライターに関するものであり、更に詳細には、上着やワイシャツのポケットの縁部や、鞄の仕切部の縁部に係止できるクリップ付の電子着火ライターに関するものであり、頂部へ圧電ユニットに衝撃を与えて噴射ノズルから噴射するガスに点火させるために操作部材を枢動可能に設けられた電子着火ライター本体１において、前記操作部材２の側面に枢動方向と平行にクリップ３を突設したことを特徴とするものである。
【実施例】
【００１２】  即ち、本考案のクリップ付電子着火ライターの電子着火ライター本体１は、補強壁を設けて液化ガスを充填するタンクと、該タンク内の液化ガスを気化させて着火部と成る噴射ノズルやバルブ（図示しない）と、電子着火ライター本体１に内装される圧電ユニット（図示しない）と、前記圧電ユニットに衝撃を与えて点火させるために操作部材２等から成るものである。【００１３】  そして、操作部材２は、電子着火ライター本体１の頂部に枢動可能に露出させており、指で押さえることで枢動して、圧電ユニットに衝撃を与えて発電させると共に、バルブを開けて噴射ノズルから気化ガスを噴射させて、圧電ユニットからの電流をリード線で噴射ノズルの近傍に配線して着火させるものである。【００１４】  次に、クリップ３は、操作部材２の側面に枢動方向と平行に基部を突設させ、該基部から下方に屈曲させるように平板状に延設させると共に、先端の内側に係止用の突条を形成しているものであり、つまり、図３の使用状態の説明図に図示する如く、操作部材２の枢動と共に、クリップ３も操作部材２を枢動させた角度だけ傾斜するものである。【００１５】  つまり、操作部材２の枢動方向と平行に突設しているため、着火操作時や着火の妨害には成らないものである。【００１６】  そして、不使用時には、クリップ３を利して胸のポケットの縁部や、鞄の仕切部の縁部に係止させておくものであり、使用時には容易に取り出せるものである。【００１７】  更には、本考案のクリップ付電子着火ライターでは、クリップ３にキャラクター的デザインや、商品や企業名を印刷、刻印できることから、従来の電子着火ライターに無い新鮮なイメージを与え、販促品としても使用できるものである。
【産業上の利用可能性】
【００１８】  従って、本考案は、企業の販促品として新鮮なイメージを与え、使用者は収納した位置に係止していることから、探したり、紛失することのないクリップ付電子着火ライターを提供するものである。
【図面の簡単な説明】
【００１９】
【図１】  図１は本考案のクリップ付電子着火ライターの実施例の正面図である。
【図２】  図２は本考案のクリップ付電子着火ライターの実施例の側面図である。
【図３】  図３は本考案のクリップ付電子着火ライターの実施例の使用状態の説明図である。
【符号の説明】
【００２０】  １      電子着火ライター本体
２      操作部材
３      クリップ
【図１】
0003126010.tif 000003
【図２】
0003126010.tif 000004
【図３】
0003126010.tif 000005